(57)【特許請求の範囲】
【請求項１】
第１電気機器群の各電気機器と用途の異なる複数の電気機器を含む第２電気機器群の各電気機器とを電気的に接続するケーブルボックスにおいて、
前記第１電気機器群の各電気機器との間でブルートゥース電波を送受信するアンテナと、
用途の異なる複数の電気機器を含む前記第２電気機器群の各電気機器をケーブルで接続可能な複数のコネクタと、
前記アンテナに接続されておりブルートゥース電波と電気信号との変換を行うブルートゥースモジュール、前記ブルートゥースモジュールと前記複数のコネクタの１つとに接続されており電気信号を変換する第１ドライバ回路、前記ブルートゥースモジュールに接続されており電気信号の規格を相互に変換するコンバータ及び前記コンバータと前記複数のコネクタの１つとに接続されており電気信号を変換する第２ドライバ回路、を有して、前記アンテナで受信したブルートゥース電波を前記各コネクタに適合する各電気信号に変換して出力すると共に、前記各コネクタで受信した各電気信号をブルートゥース電波に変換して前記アンテナに出力する変換回路と、
通信中の第１電気機器群の電気機器の種類名と第２電気機器群の電気機器の種類名とを表示することによって、前記第１電気機器群の各電気機器と前記第２電気機器群の各電気機器との間の通信状態を表示する表示装置と、
前記第１電気機器群の各電気機器にブルートゥース電波を送信している場合、又は、前記第２電気機器群の各電気機器に電気信号を送信している場合に点灯するＬＥＤと、
前記第１電気機器群の各電気機器からブルートゥース電波を受信している場合、又は、前記第２電気機器群の各電気機器から電気信号を受信している場合に点灯するＬＥＤと、
を備えたケーブルボックス。
【請求項２】
第１電気機器群と、第２電気機器群と、前記第１電気機器群の各電気機器と前記第２電気機器群の各電気機器とを電気的に接続するケーブルボックスとを備えており、
前記ケーブルボックスは、
前記第１電気機器群の各電気機器との間でブルートゥース電波を送受信するアンテナと、
前記第２電気機器群の各電気機器をケーブルで接続するための複数のコネクタと、
前記アンテナに接続されておりブルートゥース電波と電気信号との変換を行うブルートゥースモジュール、前記ブルートゥースモジュールと前記複数のコネクタの１つとに接続されており電気信号を変換する第１ドライバ回路、前記ブルートゥースモジュールに接続されており電気信号の規格を相互に変換するコンバータ及び前記コンバータと前記複数のコネクタの１つとに接続されており電気信号を変換する第２ドライバ回路、を有して、前記アンテナで受信したブルートゥース電波を前記各コネクタに適合する各電気信号に変換して出力すると共に、前記各コネクタで受信した各電気信号を電波に変換して前記アンテナに出力する変換回路と、
通信中の第１電気機器群の電気機器の種類名と第２電気機器群の電気機器の種類名とを表示することによって、前記第１電気機器群の各電気機器と前記第２電気機器群の各電気機器との間の通信状態を表示する表示装置と、
前記第１電気機器群の各電気機器にブルートゥース電波を送信している場合、又は、前記第２電気機器群の各電気機器に電気信号を送信している場合に点灯するＬＥＤと、
前記第１電気機器群の各電気機器からブルートゥース電波を受信している場合、又は、前記第２電気機器群の各電気機器から電気信号を受信している場合に点灯するＬＥＤと、
を有している、電気機器システム。
【発明の詳細な説明】
【０００１】
【発明の属する技術分野】
本発明は、ケーブルボックス及び電気機器システムに関し、特に、携帯情報端末などの小型の電気機器を他の電気機器に接続するためのケーブルボックス及び電気機器システムに関する。
【０００２】
【従来の技術】
ノート型ＰＣやＰＤＡ（Ｐｅｒｓｏｎａｌ  Ｄｉｇｉｔａｌ  Ａｓｓｉｓｔａｎｃｅ）などの携帯情報端末は、携帯性に優れており、デスクトップＰＣのデータを持ち歩いたり、外出先でインターネットに接続してメールを送受信するために使用されている。今後はさらに、携帯情報端末のデータをデスクトップＰＣを介さずに直接プリンタに出力したり、スピーカに出力して音楽を楽しんだり、マイクから音声を録音したり、キーボードから文字を入力したり、モニタに画像を出力するなど、携帯情報端末を様々な周辺機器に接続する必要が高まると予想される。また、各人が携帯情報端末を持ち歩く程に普及するようになれば、ユーザごとにケーブルを差し替えなくても、各ユーザの携帯情報端末が周辺機器を共有し、処理の順番を待って自動的に作業を行うようにすることが望ましい。
【０００３】
従来、多数の電気機器を簡易な構成で接続するための工夫は、例えば、特許第３０３１８１７号公報、特許第２７６３２７４号公報、特許第２５３８８２３号公報に示されている。特許第３０３１８１７号公報では、ゲームを行うためのジョイスティック、ＭＩＤＩ−ＩＮ、ＭＩＤＩ−ＯＵＴ、ＭＩＤＩ−ＴＨＲＵを１つのケーブルボックスによってデスクトップＰＣに接続できるインターフェース装置が記載されている。特許第２７６３２７４号公報では、多数のワークステーションを少ないケーブル数でハブに接続するために、イーサネット（登録商標）パネル（”イーサネット”は登録商標）及び配線パネルの機能をまとめたケーブルモジュールが記載されている。特許第３０３１８１７号公報では、高周波及び低周波の信号の伝送を共に行えるハイブリッドコネクタが記載されている。
【０００４】
【発明が解決しようとする課題】
上記公報に記載された発明はいずれも、デスクトップＰＣやワークステーションに電気機器を接続するためのケーブルの数やハードウェアの数を削減するものである。
しかし、多数の携帯情報端末によって周辺機器を共有する場合には、図１に示すように、携帯情報端末の台数と同数のケーブルをケーブルボックスに接続する必要があり、ケーブルボックスが大型になってしまう恐れがある。
【０００５】
また、携帯情報端末は、機種ごとに特別な形状のコネクタを有し、ケーブルボックスに接続するために専用のケーブルを要する場合が多い。しかし、各機種に共通のケーブルを用いるために新たなコネクタを設けると、携帯情報端末の小型化、薄型化を妨げ、携帯性を損なう恐れがある。
本発明の目的は、携帯情報端末などの小型の電気機器において、ケーブルボックスの大型化を防止しつつ、複数の電気機器が周辺機器を共有できるようにすることにある。
【０００６】
また、本発明の別の目的は、携帯情報端末などの小型の電気機器において、特別なコネクタや専用のケーブルを用いず、かつ、携帯性を妨げることなく、周辺機器に接続できるようにすることである。
【０００７】
【課題を解決するための手段】
第１発明に係るケーブルボックスは、第１電気機器群の各電気機器と用途の異なる電気機器を含む第２電気機器群の各電気機器と、を電気的に接続するケーブルボックスに関する。以下、第１電気機器群に含まれる各電気機器を第１電気機器と称し、第２電気機器群に含まれる各電気機器を第２電気機器と称する。
【０００８】
第１電気機器は、例えば、ノート型ＰＣ、ハンドヘルドＰＣ、ＰＤＡ（Ｐｅｒｓｏｎａｌ Ｄｉｇｉｔａｌ Ａｓｓｉｓｔａｎｃｅ）などの携帯情報端末、携帯電話、ディジタルカメラなどの小型の電気機器である。なお、第１電気機器は、小型の電気機器だけでなく、デスクトップＰＣ、ディジタルテレビなど他の電気機器であっても良い。第２電気機器は、ケーブルボックスのコネクタにケーブルで接続される電気機器であり、例えば、プリンタ、スピーカ、マイク、キーボード、モニタなどの周辺機器である。なお、第２電気機器は、第１電気機器と同様に、携帯情報端末などであっても良い。
【０００９】
ケーブルボックスは、第１電気機器群の各電気機器との間でブルートゥース電波を送受信するアンテナと、用途の異なる電気機器を含む第２電気機器群の各電気機器とケーブルで接続するための複数のコネクタと、ブルートゥースモジュール、ブルートゥースモジュールがサポートする規格の第１ドライバ回路、ブルートゥースモジュールがサポートしていない規格の第２ドライバ回路及び信号の規格を相互に変換するコンバータを有し、アンテナで受信したブルートゥース電波を各コネクタに適合する各電気信号に変換して出力すると共に、各コネクタで受信した各電気信号をブルートゥース電波に変換してアンテナに出力する変換回路と、通信中の第１電気機器群の電気機器の種類名と第２電気機器群の電気機器の種類名とを表示することによって、第１電気機器群の各電気機器と第２電気機器群の各電気機器との間の通信状態を表示する表示装置と、第１電気機器群の各電気機器にブルートゥース電波を送信している場合、又は、第２電気機器群の各電気機器に電気信号を送信している場合に点灯するＬＥＤと、第１電気機器群の各電気機器からブルートゥース電波を受信している場合、又は、第２電気機器群の各電気機器から電気信号を受信している場合に点灯するＬＥＤとを有している。
【００１０】
このケーブルボックスでは、アンテナによって第１電気機器と無線通信し、第１ドライバ回路によって、アンテナとコネクタとの間で電気信号を送受信する一方、コンバータ及び第２ドライバ回路によって、アンテナとコネクタとの間で電気信号を送受信し、各コネクタによって、ケーブルに接続されている第２電気機器と有線通信する。このようにして、第１電気機器と第２電気機器とが通信可能に接続される。
【００１１】
ブルートゥースモジュールがサポートするＳｅｒｉａｌ、ＵＳＢ、オーディオのいずれかのコネクタに接続された第２電気機器と信号を送受信する場合には、信号の規格を相互に変換するコンバータは必要ない。一方、上記以外の規格のコネクタに接続された第２電気機器とデータを送受信する場合には、信号の規格を相互に変換するコンバータを、ブルートゥースモジュールとドライバ回路との間に設ける必要がある。
【００１５】
このケーブルボックスによれば、ブルートゥース搭載の携帯情報端末等はケーブルボックスと無線通信可能であり、これらの間をケーブルで接続する必要ない。従って、多数の携帯情報端末等に周辺機器を共有させるために多数のケーブルをケーブルボックスに接続する必要がなく、ケーブルボックスが大型化するのを防止できる。
【００１６】
また、ケーブルボックスによれば、携帯情報端末等は、ブルートゥース電波で通信するので、通信用のコネクタが必要ない。従って、携帯情報端末の小型化、薄型化を図ることができ、携帯性を保持することができる。さらに、このケーブルボックスは、変換回路は、ブルートゥースモジュールと第１ドライバ回路とを有している。ブルートゥースモジュールは、アンテナに接続されており、ブルートゥース電波と電気信号との変換を行う。第１ドライバ回路は、ブルートゥースモジュールと複数のコネクタの１つとに接続されており、電気信号を変換する。
【００１７】
この場合、コネクタは、ブルートゥースモジュールがサポートするＳｅｒｉａｌ、ＵＳＢ、オーディオのいずれかの規格に対応しており、コンバータは必要ない。このケーブルボックスによれば、信号の規格を相互に変換するコンバータを設ける必要がなく、小型化及びコストダウンを図ることができる。
【００１８】
また、このケーブルボックスによれば、変換回路は、ブルートゥースモジュールとコンバータと第２ドライバ回路とを有している。ブルートゥースモジュールは、アンテナに接続されており、ブルートゥース電波と電気信号との変換を行う。コンバータは、ブルートゥースモジュールに接続されており、電気信号の規格を相互に変換する。第２ドライバ回路は、コンバータと複数のコネクタの１つとに接続されており、電気信号を相互に変換する。
【００１９】
この場合、コネクタは、ブルートゥースモジュールがサポートしていない規格、例えばパラレル（セントロニクス）である。ブルートゥースモジュールから出力される例えばＵＳＢ信号は、コンバータによってＵＳＢ信号からパラレル信号に変換され、ドライバ回路で所定の処理が施された後、パラレルのコネクタに出力される。一方、コネクタに入力されたパラレル信号は、コンバータによってパラレル信号からＵＳＢ信号に変換され、ドライバ回路で所定の処理が施された後、ブルートゥースモジュールに出力される。
【００２０】
このケーブルボックスによれば、携帯情報端末等は、ブルートゥースモジュールがサポートしている規格だけでなく、ブルートゥースモジュールがサポートしていない規格のコネクタに接続される周辺機器と通信可能である。
また、このケーブルボックスによれば、変換回路は、アンテナに接続されており、ブルートゥース電波と電気信号との変換を行うブルートゥースモジュールと、ブルートゥースモジュールと複数のコネクタの１つとに接続されており、電気信号を変換する第１ドライバ回路と、ブルートゥースモジュールに接続されており、電気信号の規格を相互に変換するコンバータと、コンバータと前記複数のコネクタの１つとに接続されており、電気信号を変換する第２ドライバ回路とを有している。
【００２１】
このケーブルボックスによれば、ブルートゥースモジュールがサポートしている規格だけでなくそれ以外の規格のコネクタに接続される周辺機器とも通信可能である。
第２発明に係る電気機器システムは、第１電気機器群と、用途の異なる電気機器を含む第２電気機器群と、第１電気機器群の各電気機器と第２電気機器群の各電気機器とを電気的に接続するケーブルボックスとを備えている。
そして、ケーブルボックスは、第１電気機器群の各電気機器との間でブルートゥース電波を送受信するアンテナと、用途の異なる電気機器を含む第２電気機器群の各電気機器をケーブルで接続するための複数のコネクタと、前記アンテナに接続されておりブルートゥース電波と電気信号との変換を行うブルートゥースモジュール、前記ブルートゥースモジュールと前記複数のコネクタの１つとに接続されており電気信号を変換する第１ドライバ回路、前記ブルートゥースモジュールに接続されており電気信号の規格を相互に変換するコンバータ及び前記コンバータと前記複数のコネクタの１つとに接続されており電気信号を変換する第２ドライバ回路、を有して、アンテナで受信したブルートゥース電波を各コネクタに適合する各電気信号に変換して出力すると共に、各コネクタで受信した各電気信号をブルートゥース電波に変換してアンテナに出力する変換回路と、通信中の第１電気機器群の電気機器の種類名と第２電気機器群の電気機器の種類名とを表示することによって、第１電気機器群の各電気機器と第２電気機器群の各電気機器との間の通信状態を表示する表示装置と、第１電気機器群の各電気機器にブルートゥース電波を送信している場合、又は、第２電気機器群の各電気機器に電気信号を送信している場合に点灯するＬＥＤと、第１電気機器群の各電気機器からブルートゥース電波を受信している場合、又は、第２電気機器群の各電気機器から電気信号を受信している場合に点灯するＬＥＤとを有している。
【００２２】
第２発明に係る電気機器システムによれば、第１発明に係るケーブルボックスにおいて述べたと同様の作用効果を奏する。
【００２３】
【発明の実施の形態】
（１）全体構成
図２は、本発明の一実施形態例に係るケーブルボックス１による電気機器の接続例である。このケーブルボックス１は、ＰＤＡ２０１、ノート型パソコン２５０、携帯電話３００等とはブルートゥース電波で無線通信し、周辺機器３ａ〜３ｅとはケーブル４ａ〜４ｅによって有線通信する。
【００２４】
ケーブルボックス１は、アンテナ１２によってブルートゥース電波を送受信し、複数のコネクタ１１ａ〜１１ｅによってケーブル４ａ〜４ｅに接続可能である。ＰＤＡ２０１、ノート型ＰＣ２５０、携帯電話３００は、ブルートゥース電波で通信する電気機器（以下、ブルートゥース機器２と称す）であり、ブルートゥースモジュールを内臓しているか、又は、ＰＣＭＣＩＡカードによってブルートゥースに対応可能である。ブルートゥース機器２は、本実施形態例では１００台（ＰＤＡ２０１〜携帯電話３００）として説明するが、１００台に限らず、１００台以下（例えば１台）であっても、１００台以上でも良い。また、ブルートゥース機器２の例として、ＰＤＡ２０１、ノート型ＰＣ２５０、携帯電話３００のみを明示しているが、携帯用ビデオレコーダなどの他の小型の電気機器でも良い。また、ブルートゥース機器２は、小型の電気機器に限らず、デスクトップＰＣ、ディジタルテレビなど他の電気機器でも良い。コネクタ１１ａ〜１１ｅは、それぞれ、ケーブル４ａ〜４ｅのそれぞれの一端に設けられたコネクタ４１ａ〜４１ｅに接続され、ケーブル４ａ〜４ｅを介してモデム３ａ〜プリンタ３ｅに接続されている。コネクタ１１ａは、Ｓｅｒｉａｌであり、例えばＲＳ−２３２Ｃの９ｐｉｎである。コネクタ１１ｂはオーディオアウトであり、コネクタ１１ｃはオーディオインである。コネクタ１１ｄはＵＳＢである。コネクタ１１ｅは、パラレルであり、例えばセントロニクスの２５ｐｉｎである。
【００２５】
ここで、モデム３ａは、Ｓｅｒｉａｌケーブル４ａに接続されており、ケーブル４ａからの信号を電話回線に適合する信号に変換すると共に、電話回線からの信号をケーブル４ａに適合する信号に変換する。スピーカ３ｂは、オーディオアウトケーブル４ｂに接続されており、ケーブル４ｂからの電気信号を音声に変換して出力する。マイク３ｃは、オーディオインケーブル４ｃに接続されており、音声を電気信号に変換してケーブル４ｃに出力する。キーボード３ｄは、ＵＳＢケーブル４ｄに接続されており、ユーザからのキー入力を受け付ける。プリンタ３ｅは、パラレルケーブル４ｅに接続されており、ケーブル４ｅからの電気信号に基づいて印刷を行う。
【００２６】
このケーブルボックス１は、ブルートゥース機器２（ＰＤＡ２０１、ノート型ＰＣ２５０、携帯電話３００）との間で無線通信し、周辺機器３ａ〜３ｅとの間でケーブル４ａ〜４ｅを介して有線通信することによって、ブルートゥース機器２と周辺機器３ａ〜３ｅとの間での通信を確立する。
（２）ケーブルボックス
図３はケーブルボックス１の斜視図であり、図４はケーブルボックス１の機能ブロック図である。
【００２７】
図３に示すように、ケーブルボックス１の前面には、上述したコネクタ１１ａ〜１１ｅが設けられており、ケーブルボックスの上面には、上述したアンテナ１２が設けられている。また、ケーブルボックス１の上面には、表示装置１３と、ＬＥＤ  Ｐｏｗｅｒと、ＬＥＤ  Ｔｘと、ＬＥＤ  Ｒｘとが設けられている。表示装置１３は、ＰＤＡ２０１、ノート型ＰＣ２５０、携帯電話３００と周辺機器３ａ〜３ｅとの間の通信状態を表示する。表示装置１３には、例えば、「ＰＤＡ２０１−モデム３ａ」、「ＰＤＡ２０１−スピーカ３ｂ」と表示される。ＬＥＤＰｏｗｅｒは、ケーブルボックス１への電源の供給状態を示し、電源が供給されている場合に点灯する。ＬＥＤ  Ｔｘは、ＰＤＡ２０１、ノート型ＰＣ２５０、携帯電話３００にブルートゥース電波を送信している場合、又は、周辺機器３ａ〜３ｅに電気信号を送信している場合に点灯する。ＬＥＤ  Ｒｘは、ＰＤＡ２０１、ノート型ＰＣ２５０、携帯電話３００からブルートゥース電波を受信している場合、又は、周辺機器３ａ〜３ｅから電気信号を受信している場合に点灯する。
【００２８】
ケーブルボックス１の内部には、図４に示すように、ブルートゥースモジュール１４と、ドライバ回路１５ａ〜１５ｅと、コンバータ１６ｅと、ＣＰＵ１７とが設けられている。
ブルートゥースモジュール１４は、ＲＦ部１４１と、ベースバンド部１４２と、Ｓｅｒｉａｌポートと、オーディオポートと、ＵＳＢポートとを有している。ＲＦ部１４１は、アンテナ１２に接続されており、アンテナ１２で受信したブルートゥース電波を電気信号に変換して出力する。ベースバンド部１４２は、ＲＦ部１４１から出力される電気信号を各ポートに適合する信号に変換し、それぞれをＳｅｒｉａｌポート、オーディオポート、ＵＳＢポートに出力する。また、ベースバンド部１４２は、Ｓｅｒｉａｌポート、オーディオポート、ＵＳＢポートから入力される電気信号を変換してＲＦ部１４１に出力し、ＲＦ部１４１はこの電気信号をブルートゥース電波に変換してアンテナ１２に出力する。
【００２９】
ドライバ回路１５ａは、Ｓｅｒｉａｌポート及びコネクタ１１ａに接続されており、Ｓｅｒｉａｌポートからの出力に所定の変換を施してコネクタ１１ａに出力すると共に、コネクタ１１ａからの出力に所定の変換を施してＳｅｒｉａｌポートに出力する。ドライバ回路１５ｂは、オーディオポート及びドライバ回路１１ｂに接続されており、オーディオポートからの出力に所定の変換を施してコネクタ１１ｂに出力する。ドライバ回路１５ｃは、オーディオポート及びドライバ回路１１ｃに接続されており、マイク３ｃからコネクタ１１ｃに入力されたオーディオイン信号に所定の変換を施し、ブルートゥースモジュール１４のオーディオポートに出力する。ドライバ回路１５ｄは、ＵＳＢポート及びコネクタ１１ｄに接続されており、ＵＳＢポートからの出力に所定の変換を施してコネクタ１１ｄに出力すると共に、コネクタ１１ｄからの出力に所定の変換を施してＵＳＢポートに出力する。コンバータ１６ｅは、ＵＳＢポート及びコネクタ１１ｅに接続されており、ＵＳＢポートからの出力をパラレル（セントロニクス）信号に変換してドライバ回路１５ｅに出力すると共に、ドライバ回路１５ｅからのパラレル信号をＵＳＢ信号に変換してＵＳＢポートに出力する。ドライバ回路１５ｅは、コンバータ１６ｅからのパラレル信号に所定の変換を施してコネクタ１１ｅに出力すると共に、コネクタ１１ｅからのパラレル信号に所定の処理を施してコンバータ１６ｅに出力する。
【００３０】
ＣＰＵ１７は、ブルートゥースモジュール１４、ドライバ回路１５ａ〜１５ｅ、コンバータ１６ｅの処理を制御する。
（３）フローチャート
図５は、ケーブルボックス１におけるデータの送受信処理のフローチャートである。ここでは、ＰＤＡ２０１とプリンタ３ｅとの間でのデータ送受信を例に挙げて説明する。他の電気機器間でのデータ送受信処理も同様である。
【００３１】
ステップＳ１１：ＣＰＵ１７は、アンテナ１２がブルートゥース電波を受信したか否かを判定する。受信した場合にはステップＳ１２に移行し、受信していない場合にはステップＳ１３に移行する。
ステップＳ１２：ＣＰＵ１７からの指示に基づいて、ブルートゥースモジュール１４がブルートゥース電波をＵＳＢ信号に変換し、コンバータ１６ｅがＵＳＢ信号をパラレル信号に変換し、ドライバ回路１６ｅがコンバータ１６ｅからのパラレル信号に所定の処理を施してコネクタ１１ｅに出力する。
【００３２】
そして、プリンタ３ｅは、この電気信号に基づいて画面に画像を表示する。
ステップＳ１３：ＣＰＵ１７は、コネクタ１１ｅにおいてプリンタ３ｅからの電気信号を受信したか否かを判定する。受信している場合にはステップＳ１４に移行し、受信していない場合にはステップＳ１１に戻る。
ステップＳ１４：ＣＰＵ１７からの指示に基づいて、ドライバ回路１５ｅが、コネクタ１１ｅで受信したパラレル信号に所定の処理を施し、コンバータ１６ｅがパラレル信号をＵＳＢ信号に変換し、ブルートゥースモジュール１４がＵＳＢ信号をブルートゥース電波に変換してアンテナ１２に出力する。
【００３３】
そして、ＰＤＡ２０１は、アンテナ１２からブルートゥース電波を受信する。（４）まとめ
このケーブルボックス１は、ブルートゥース機器２（ＰＤＡ２０１、ノート型ＰＣ２５０、携帯電話３００）と無線通信するので、これらの間をケーブルで接続する必要ない。従って、多数のブルートゥース機器２に周辺機器３ａ〜３ｅを共有させるために多数のケーブルをケーブルボックス１に接続する必要がなく、ケーブルボックス１が大型化するのを防止できる。
【００３４】
また、ブルートゥース機器２は、ケーブルボックス１と無線通信するので、通信用のコネクタの必要がない。従って、携帯情報端末、携帯電話、デジカメなどの携帯性が要求される電気機器の小型化、薄型化を図ることができる。
また、このケーブルボックス１によれば、コンバータ１６ｅを設けることによって、ブルートゥースモジュール１４がサポートしている規格（Ｓｅｒｉａｌ、オーディオ、ＵＳＢ）だけでなくそれ以外の規格（例えばパラレル）のコネクタに接続される周辺機器とも通信可能である。
【００３５】
【発明の効果】
本発明によれば、携帯情報端末などの小型の電気機器において、ケーブルボックスの大型化を防止しつつ、複数の電気機器が周辺機器を共有できるようになる。
また、本発明によれば、携帯情報端末などの小型の電気機器において、特別なコネクタや専用のケーブルを用いず、かつ、携帯性を妨げることなく、周辺機器に接続できるようになる。
【図面の簡単な説明】
【図１】従来のケーブルボックスによる電気機器の接続例。
【図２】本発明の一実施形態例に係るケーブルボックスによる電気機器の接続例。
【図３】ケーブルボックスの斜視図。
【図４】ケーブルボックスの機能ブロック図。
【図５】ケーブルボックスによるデータの送受信処理のフローチャート。
【符号の説明】
１      ケーブルボックス
１１    コネクタ
１２    アンテナ
１４    ブルートゥースモジュール
１４１  ＲＦ部
１４２  ベースバンド部
１５    ドライバ回路
１６    コンバータ
１７    ＣＰＵ
２０１  ＰＤＡ
２５０  ノート型パソコン
３００  携帯電話
３      周辺機器
４      ケーブル
４１    コネクタ
【図１】
0003867780.tif 000002
【図２】
0003867780.tif 000003
【図３】
0003867780.tif 000004
【図４】
0003867780.tif 000005
【図５】
0003867780.tif 000006